【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作によって変位する操作受け部と、
遊技者に対して操作機会が付与される受付許容期間を発生可能な許容期間発生手段と、
前記受付許容期間において、前記操作受け部に第１位置から第２位置への所定変位が生じたことにより操作受付が発生すると、該操作受付に応じた受付後演出を実行可能な操作受付実行手段と
を備え、
前記受付許容期間では、前記操作受け部を摸した摸画像表示と、該摸画像表示とは異なる特定表示とが所定の表示画面内において現れうる遊技機であって、
前記受付許容期間として、第１の受付許容期間及び第２の受付許容期間が少なくとも用意されており、
前記摸画像表示は、前記操作受け部とは異なる画像部分と一体化された一体化摸画像表示として表示され、前記第１の受付許容期間及び前記第２の受付許容期間のいずれにおいても、前記特定表示は、前記一体化摸画像表示内の前記異なる画像部分にて表示されるようになっており、
前記第１の受付許容期間内においては、前記一体化摸画像表示として、前記特定表示の表示面積が時間経過に応じて減少されない態様が現れず、前記特定表示の表示面積が時間経過に応じて減少される態様が現れるようになっており、
前記第２の受付許容期間内においては、前記一体化摸画像表示として、前記特定表示の表示面積が時間経過に応じて減少される態様が現れず、前記特定表示の表示面積が時間経過に応じて減少されない態様が現れるようになっており、
さらに、
前記第１の受付許容期間内においては、前記特定表示の表示面積が時間経過に応じて減少される態様が現れるように前記一体化摸画像表示内の前記特定表示を動的に表示するとともに、前記操作受け部に前記第１位置から前記第２位置への所定変位が生じるときの該操作受け部の動きが描写されるように前記一体化摸画像表示内の前記摸画像表示を動的に表示するが、
前記第２の受付許容期間内においては、前記特定表示の表示面積が時間経過に応じて減少される態様が現れないように前記一体化摸画像表示内の前記特定表示を静的に表示するにもかかわらず、前記一体化摸画像表示内の前記摸画像表示については、前記操作受け部に前記第１位置から前記第２位置への所定変位が生じるときの該操作受け部の動きが描写されるようにこれを動的に表示するようになっており、
さらに、
前記受付許容期間が発生することを示唆する特定の前兆演出表示が当該受付許容期間の発生タイミングを跨るかたちで表示可能とされるとともに、前記受付許容期間で前記操作受付が発生すると前記摸画像表示が視認し難くされる特定の消滅ＥＦ表示が表示可能とされており、
前記受付許容期間の発生タイミングを跨るかたちで表示可能とされる前記特定の前兆演出表示が表示されているなかで前記操作受付が発生した場合、該操作受付に応じた前記受付後演出が実行開始される時点において、前記特定の消滅ＥＦ表示は未だ表示を開始していない状態になっている
ことを特徴とする遊技機。
【請求項２】
判定を行う判定手段と、
前記判定手段の判定結果に基づいて特典を付与しうる特典付与手段と、
遊技者による操作によって変位する操作受け部と、
遊技者に対して操作機会が付与される受付許容期間を発生可能な許容期間発生手段と、
前記受付許容期間において、前記操作受け部に第１位置から第２位置への所定変位が生じたことにより操作受付が発生すると、該操作受付に応じた受付後演出を実行可能な操作受付実行手段と
を備え、
前記受付許容期間では、前記操作受け部を摸した摸画像表示と、該摸画像表示とは異なる特定表示とが所定の表示画面内において現れうる遊技機であって、
前記受付許容期間として、特定の受付許容期間及び特別の受付許容期間が少なくとも用意されており、
前記摸画像表示は、前記操作受け部とは異なる画像部分と一体化された一体化摸画像表示として表示され、前記特定の受付許容期間において、前記特定表示は、前記一体化摸画像表示内の前記異なる画像部分にて表示されるようになっており、
前記特定の受付許容期間が発生する場合、該特定の受付許容期間が発生するよりも前の前兆演出期間と、当該特定の受付許容期間とのいずれにおいても、前記摸画像表示は、前記操作受け部とは異なる画像部分と一体化された一体化摸画像表示として表示され、
前記特定表示は、前記特定の受付許容期間では前記一体化摸画像表示内にある前記摸画像表示とは異なる画像部分にて表示されるが、前記前兆演出期間では前記一体化摸画像表示内にある前記摸画像表示とは異なる画像部分にて表示されておらず、
前記摸画像表示は、前記前兆演出期間及び前記特定の受付許容期間のいずれにおいても前記一体化摸画像表示内において表示されるが、前記前兆演出期間及び前記特定の受付許容期間のうちの前記特定の受付許容期間においてのみ前記操作受け部に前記第１位置から前記第２位置への所定変位が生じるときの該操作受け部の動きを描写する動的表示が行われるようになっており、
さらに、
前記特別の受付許容期間が発生することを示唆する特別の前兆演出表示が当該特別の受付許容期間の発生タイミングを跨るかたちで表示可能とされるとともに、前記特別の受付許容期間で前記操作受付が発生すると前記摸画像表示が視認し難くされる特別の消滅ＥＦ表示が表示可能とされており、
前記特別の受付許容期間の発生タイミングを跨るかたちで表示可能とされる前記特別の前兆演出表示が表示されているなかで前記操作受付が発生した場合、該操作受付に応じた前記受付後演出が実行開始される時点において、前記特別の消滅ＥＦ表示は未だ表示を開始していない状態になっている
ことを特徴とする遊技機。
【請求項３】
前記特定表示は、複数の大きさまたは複数の形状のいずれかで表示されうる
請求項１に記載の遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作によって変位する操作受け部と、
遊技者に対して操作機会が付与される受付許容期間を発生可能な許容期間発生手段と、
前記受付許容期間において、前記操作受け部に第１位置から第２位置への所定変位が生じたことにより操作受付が発生すると、該操作受付に応じた受付後演出を実行可能な操作受付実行手段と
を備え、
前記受付許容期間では、前記操作受け部を摸した摸画像表示と、該摸画像表示とは異なる特定表示とが所定の表示画面内において現れうる遊技機であって、
前記受付許容期間として、第１の受付許容期間及び第２の受付許容期間が少なくとも用意されており、
前記摸画像表示は、前記操作受け部とは異なる画像部分と一体化された一体化摸画像表示として表示され、前記第１の受付許容期間及び前記第２の受付許容期間のいずれにおいても、前記特定表示は、前記一体化摸画像表示内の前記異なる画像部分にて表示されるようになっており、
前記第１の受付許容期間内においては、前記一体化摸画像表示として、前記特定表示の表示面積が時間経過に応じて減少されない態様が現れず、前記特定表示の表示面積が時間経過に応じて減少される態様が現れるようになっており、
前記第２の受付許容期間内においては、前記一体化摸画像表示として、前記特定表示の表示面積が時間経過に応じて減少される態様が現れず、前記特定表示の表示面積が時間経過に応じて減少されない態様が現れるようになっており、
さらに、
前記第１の受付許容期間内においては、前記特定表示の表示面積が時間経過に応じて減少される態様が現れるように前記一体化摸画像表示内の前記特定表示を動的に表示するとともに、前記操作受け部に前記第１位置から前記第２位置への所定変位が生じるときの該操作受け部の動きが描写されるように前記一体化摸画像表示内の前記摸画像表示を動的に表示するが、
前記第２の受付許容期間内においては、前記特定表示の表示面積が時間経過に応じて減少される態様が現れないように前記一体化摸画像表示内の前記特定表示を静的に表示するにもかかわらず、前記一体化摸画像表示内の前記摸画像表示については、前記操作受け部に前記第１位置から前記第２位置への所定変位が生じるときの該操作受け部の動きが描写されるようにこれを動的に表示するようになっており、
さらに、
前記受付許容期間が発生することを示唆する特定の前兆演出表示が当該受付許容期間の発生タイミングを跨るかたちで表示可能とされるとともに、前記受付許容期間で前記操作受付が発生すると前記摸画像表示が視認し難くされる特定の消滅ＥＦ表示が表示可能とされており、
前記受付許容期間の発生タイミングを跨るかたちで表示可能とされる前記特定の前兆演出表示が表示されているなかで前記操作受付が発生した場合、該操作受付に応じた前記受付後演出が実行開始される時点において、前記特定の消滅ＥＦ表示は未だ表示を開始していない状態になっている
ことを特徴とする遊技機。
【手続補正４】
【補正対象書類名】明細書
【補正対象項目名】０００８
【補正方法】削除
【補正の内容】